(57)【要約】【課題】操作が簡単で、引き抜いたホッチキス針を安全に回収することができるホッチキス針安全回収可能なリムーバーを提供する。【解決手段】ベース（２０）と、針抜きセット（３０）と、針退きセット（４０）と、針退き駆動セット（５０）と、を含む。針抜きセット（３０）は、ベース（２０）の一側下方に設けられ、互いに連接されている針嵌着部（３１）とガイド面（３２）とを具備し、針嵌着部（３１）が紙を綴じているホッチキス針を嵌着でき、ガイド面（３２）が所定の傾斜面でホッチキス針を引き上げるのに供する。針退きセット（４０）は、針抜きセット（３０）の上方に設けられ、リニア移動方式で引き上げられたホッチキス針を移動して回収する。針退き駆動セット（５０）は、針退きセット（４０）と連結するとともに、針退きセット（４０）がホッチキス針を移動させる動力源を提供する。これにより、ホッチキス針を安全に回収することができる。【選択図】図２
0003157634.tif 000002
【実用新案登録請求の範囲】
【請求項１】
ベースと、針抜きセットと、針退きセットと、針退き駆動セットと、を含むホッチキス針安全回収可能なリムーバーであって、
前記ベースは、所定形状を呈する取付座体であり、
前記針抜きセットは、前記ベースの下側に設けられており、互いに連接されている針嵌着部とガイド面とを具備し、前記針嵌着部が紙を綴じているホッチキス針を嵌着することができ、前記ガイド面が所定傾斜角度を有する傾斜面であり、ホッチキス針を引き上げるのに供し、
前記針退きセットは、前記針抜きセットの上側に設けられており、リニア移動方式で引き上げられたホッチキス針を引き抜くとともに、移動して回収し、
前記針退き駆動セットは、前記針退きセットと連結するとともに、前記針退きセットがホッチキス針を移動させる動力源を提供することを特徴とする、ホッチキス針安全回収可能なリムーバー。
【請求項２】
前記リムーバーには、リムーバーケースをさらに含み、前記リムーバーケースは、上側ケースと下側ケースとを具備し、前記上側ケースと前記下側ケースは、収納スペースを形成し、前記収納スペース内には、前記ベース、前記針退きセット、及び前記針退き駆動セットを収納し、前記下側ケースに前記針抜きセットを固設するとともに、前記リムーバーケースから前記針嵌着部を露出させることを特徴とする、請求項１に記載のホッチキス針安全回収可能なリムーバー。
【請求項３】
前記針退き駆動セットが前記針退きセットを駆動しリニア移動させることにより、前記針退きセットが引き上げられたホッチキス針を引き抜くとともに、前記収納スペース内に移動することを特徴とする、請求項２に記載のホッチキス針安全回収可能なリムーバー。
【請求項４】
前記針退き駆動セットは位置決め座と、下押圧部と、弾性部とを具備し、前記位置決め座が前記ベースの一側凸縁に設けられており、前記下押圧部が前記位置決め座の外側に套設されるとともに、その上にリニア移動でき、前記弾性部が前記位置決め座と前記下押圧部との間に設けられていることを特徴とする、請求項１に記載のホッチキス針安全回収可能なリムーバー。
【請求項５】
前記針退きセットは針退きガイドベースと、針退きガイドエレメントとを具備し、前記針退きガイドベースが前記ガイド面の上方に設けられるとともに、所定長さを有する一つ以上のガイド溝を具備し、前記針退きガイドエレメントが前記針退きガイドベースの上方に設けられるとともに、前記ガイド溝内に嵌設される一つ以上のガイド凸エッジを具備し、これにより、前記針退きガイドエレメントが前記ガイド溝内に限定されてリニア移動できることを特徴とする、請求項１に記載のホッチキス針安全回収可能なリムーバー。
【請求項６】
前記針退きセットは弾性エレメントをさらに具備し、前記弾性エレメントの両端がそれぞれ前記針退きガイドベースと前記針退きガイドエレメントとに配設されており、これにより、前記針退きガイドエレメントに弾性復元力を付与できることを特徴とする、請求項５に記載のホッチキス針安全回収可能なリムーバー。
【請求項７】
前記ガイド溝の下方に穿設される前記ガイド凸エッジが引き上げられたホッチキス針を引っ掛るように構成されるとともに、前記針退きガイドエレメントのリニア移動に従って前記ホッチキス針を移動させることを特徴とする、請求項５に記載のホッチキス針安全回収可能なリムーバー。
【請求項８】
前記針退きガイドベースと前記針退きガイドエレメントが前記ガイド面と同一の傾斜角度で平行して傾斜状に設置されていることを特徴とする、請求項５に記載のホッチキス針安全回収可能なリムーバー。
【請求項９】
前記リムーバーには、連桿セットをさらに含み、前記連桿セットは、前記針退きセットと前記針退き駆動セットとの間に設けられるとともに、駆動力の伝動方向を変更するのに供することを特徴とする、請求項１に記載のホッチキス針安全回収可能なリムーバー。
【請求項１０】
前記連桿セットは、互いに枢接されている第１連桿と第２連桿とを具備し、前記第１連桿は前記ベース上に枢設されており、その一端に第１支え端が設けられるとともに前記針退き駆動セットにより駆動されることにより、前記第１連桿をその枢設軸を中心として回動させることができ、前記第２連桿はその一端が前記第１連桿の他端と枢接しており、その他端が前記針退きセットと枢接することにより、前記針退きセットを連動してリニア移動させることを特徴とする、請求項９に記載のホッチキス針安全回収可能なリムーバー。
【請求項１１】
前記連桿セットは、第１連桿を具備し、前記第１連桿は前記ベース上に枢設されており、その一端に第１支え端が設けられており、前記針退き駆動セットは、下押圧部を具備し、前記下押圧部が前記ベース上においてリニア移動でき、前記下押圧部に押出部が設けられるとともに前記第１支え端を効果的に押し出すことができることを特徴とする、請求項９に記載のホッチキス針安全回収可能なリムーバー。
【考案の詳細な説明】
【技術分野】
【０００１】
本考案は、リムーバーに係り、特にホッチキス針を省力・簡便な操作方式で除去するとともに、安全に回収することができるホッチキス針安全回収可能なリムーバーに関する。
【背景技術】
【０００２】
紙や書類の装丁、整理は、オフィスや家庭で、殆ど毎日行わなければならないことであり、公用文献資料、または生活上の帳簿類を分類して収納するとき、これらを綴じることを避けることはできず、なぜなら、収納に便利、且つ収納スペースを削減することができるからである。紙類を綴じる道具としては、ホッチキス、リング製本機、ガムテープ、スプリングクリップ、バインダークリップなどがあり、そのうち、ホッチキスが一般的で、しかも最も便利で迅速な製本方式である。
【０００３】
ホッチキス（またはステープラ―） は、紙に「コ」の字形のホッチキス針を下押圧で刺し通し、針先の部分を両側から平らに曲げて、紙を綴じるものである。紙類の装丁中には、装丁の間違いが避けられず、またはホッチキス針を除去してプリントする必要がある。その場合は、ホッチキス針除去装置（以下、リムーバーと呼ぶ）を用いることによって、紙を綴じている状態のホッチキス針を変形するとともに、紙から引き抜くことになる。
【０００４】
市場によく見られるリムーバーは、二種類に大別することができ、一方がホッチキスの尾端にリムーバーを付設する「付設式リムーバー」であり、例えば、特許文献１に開示されている「綴じ抜き両用ホッチキス」がその一例であり、他方がホッチキス針の除去のみに用いられる「専用式リムーバー」である。本考案は主に、この「専用式リムーバー」の除針構造に関するものである。
【０００５】
公知の「専用式リムーバー」は、例えば、特許文献２に開示されている「針抜き器」が挙げられる。この「リムーバー」は、一つの上蓋と、一つの下蓋と、一つの金属製位置決め片と、一つの金属製挿入片と、二つの中心軸と、三つのロックエレメントとを含む。該上蓋には、その内部に縦断方向に貫通する貫通孔が設けられており、該貫通孔が該上蓋から一つの止め具を下向きに套入するのに供し、その前方に二つの上位置決め柱が下向きに延伸されている。該下蓋は、該上蓋の下方に位置されており、該下蓋に該上蓋の二つの該上位置決め柱に対応する二つの下位置決め柱が設けられており、該止め具と該下蓋との間に一つの弾性体が配設されている。該金属製位置決め片は、その中間に一つの収容溝が設けられることにより、叉状を形成し、その横方向の中間に一つの半円形の凹溝が下向きに設けられており、その後方に一つの押圧部が水平方向に設けられており、該押圧部が該弾性体を下向きに押圧でき、その前方に一対の位置決め部が前方且つ上斜め向きに形成されており、該位置決め部の左右側に一対の肩部が内向きに縮小して形成されている。該金属製挿入片は、該金属製位置決め片の該収容溝内に設けられており、その後方が水平とされており、その左右に一つの凸部がそれぞれ設けられており、その前方に上向きに尖っている尖形状部が延伸されるとともに、該金属製位置決め片の該位置決め部の中間に位置されている。該中心軸は、該金属製位置決め片の該凹溝上に位置されており、その中心に一つの正方形の穿孔が穿設されており、該穿孔が該金属製挿入片の該凸部を穿設するのに供する。該三つのロックエレメントは、一つが該下蓋の後方底部から該上蓋を上向きにロックし、他の二つが該下蓋の該下位置決め柱に上向きに穿ち、該金属製挿入片の套孔を貫通して該上位置決め柱をロックするものである。
【０００６】
公知のもう一つの「専用式リムーバー」は、例えば、特許文献３に開示されている「針抜き装置」が挙げられる。この「針抜き装置」は、少なくとも一つのホッチキス針を引き抜いて収集できるものであり、一つの本体と、針集め器と、を含む。該本体は、第１握持部と第２握持部とを含み、そのうち、該第１握持部と第２握持部が枢接されている。該針集め器は、該第１握持部に連結されており、一つのマグネット部と、一つの収集部と、一つの操作部とを含む。該収集部は、少なくとも一つのホッチキス針を収納し、該操作部は、該マグネット部と該収集部をコントロールし、以下のような二つの状態に達する。一つ目の収集状態とは、該マグネット部が該収集部に近づくときに、少なくとも一つのホッチキス針が該マグネット部の磁力作用によってその磁力範囲内において、該収集部内に収集されている状態をいう。二つ目の分離状態とは、該マグネット部が該収集部から遠く離れるときに、少なくとも一つのホッチキス針が該マグネットの磁力範囲外にあり、該収集部から分離されている状態をいう。
【０００７】
上記した「専用式リムーバー」は、前者が該尖形状部をホッチキス針に進入した後に、該止め具を押圧することにより、該ホッチキス針を持ち上げ、左右位置決めの平均施力によって、ホッチキス針を外へ引き抜くようになっており、後者が前者の針抜き構造と同一のものを具備する以外、マグネット部と、収集部と、操作部と、を有する針集め器をさらに追設し、該操作部が該マグネット部と該収集部をコントロールし、磁力作用方式でホッチキス針を吸着して該本体の下方に集めるようになっている。
【０００８】
後者の構造に関しては、ホッチキス針を除去して集める機能を具備するが、さらにこれを分析すると、該構造が引き抜かれた後のホッチキス針を収集でき、廃棄に有利である。しかしながら、該構造が磁力でホッチキス針を集め、仮にケアレスで操作部のスイッチを誤操作すると、本来吸着されている状態のホッチキス針が磁性の消失によって散り落ちることになる。こうして散乱したホッチキス針を全て拾って安全に収容しないと、人に怪我を負わせる恐れがある。
【先行技術文献】
【特許文献】
【０００９】
【特許文献１】台湾実用新案登録第９４２１７５３０号
【特許文献２】台湾実用新案登録第９６２００４４３号
【特許文献３】台湾実用新案登録第９７２１５７４０号
【考案の概要】
【考案が解決しようとする課題】
【００１０】
そこで、本考案の主な課題は、操作が簡単な下押圧方式で、引き抜いたホッチキス針を装置内部に効果的に回収するとともに、ホッチキス針が四方に飛び散ることを回避し、環境の安全性を増進することができる、ホッチキス針安全回収可能なリムーバーを提供することにある。
【００１１】
また、本考案のもう一つの課題は、針抜きセットとリニア移動できる針退きセットを組み合わせる構造を具備し、引き抜いたホッチキス針を連続動作で内部スペースに移動させることにより、同時にその回収操作を片手で完成することができる、ホッチキス針安全回収可能なリムーバーを提供することにある。
【００１２】
また、本考案のもう一つの課題は、てこの原理で連桿セットの構造を構成することにより、省力が可能となる、ホッチキス針安全回収可能なリムーバーを提供することにある。
【００１３】
さらに、本考案のさらなるもう一つの課題は、構造が簡単で、針抜き操作が容易で、ヒューマニズムに満ちた汎用性と操作性を極めるとともに、便利性と実用性を向上することができる、ホッチキス針安全回収可能なリムーバーを提供することにある。
【課題を解決するための手段】
【００１４】
上記課題を解決するために、本考案の請求項１は、ベースと、針抜きセットと、針退きセットと、針退き駆動セットと、を含むホッチキス針安全回収可能なリムーバーであって、前記ベースは、所定形状を呈する取付座体であり、前記針抜きセットは、前記ベースの下側に設けられており、互いに連接されている針嵌着部とガイド面とを具備し、前記針嵌着部が紙を綴じているホッチキス針を嵌着することができ、前記ガイド面が所定傾斜角度を有する傾斜面であり、ホッチキス針を引き上げるのに供し、前記針退きセットは、前記針抜きセットの上側に設けられており、リニア移動方式で引き上げられたホッチキス針を引き抜くとともに、移動して回収し、前記針退き駆動セットは、前記針退きセットと連結するとともに、前記針退きセットがホッチキス針を移動させる動力源を提供することを特徴とする、ホッチキス針安全回収可能なリムーバーである。
【００１５】
本考案の請求項２は請求項１において、前記リムーバーには、リムーバーケースをさらに含み、前記リムーバーケースは、上側ケースと下側ケースとを具備し、前記上側ケースと前記下側ケースは、収納スペースを形成し、前記収納スペース内には、前記ベース、前記針退きセット、及び前記針退き駆動セットを収納し、前記下側ケースに前記針抜きセットを固設するとともに、前記リムーバーケースから前記針嵌着部を露出させる。
【００１６】
本考案の請求項３は請求項２において、前記針退き駆動セットが前記針退きセットを駆動しリニア移動させることにより、前記針退きセットが引き上げられたホッチキス針を引き抜くとともに、前記収納スペース内に移動する。
【００１７】
本考案の請求項４は請求項１において、前記針退き駆動セットは位置決め座と、下押圧部と、弾性部とを具備し、前記位置決め座が前記ベースの一側凸縁に設けられており、前記下押圧部が前記位置決め座の外側に套設されるとともに、その上にリニア移動でき、前記弾性部が前記位置決め座と前記下押圧部との間に設けられている。
【００１８】
本考案の請求項５は請求項１において、前記針退きセットは針退きガイドベースと、針退きガイドエレメントとを具備し、前記針退きガイドベースが前記ガイド面の上方に設けられるとともに、所定長さを有する一つ以上のガイド溝を具備し、前記針退きガイドエレメントが前記針退きガイドベースの上方に設けられるとともに、前記ガイド溝内に嵌設される一つ以上のガイド凸エッジを具備し、これにより、前記針退きガイドエレメントが前記ガイド溝内に限定されてリニア移動できる。
【００１９】
本考案の請求項６は請求項５において、前記針退きセットは弾性エレメントをさらに具備し、前記弾性エレメントの両端がそれぞれ前記針退きガイドベースと前記針退きガイドエレメントとに配設されており、これにより、前記針退きガイドエレメントに弾性復元力を付与できる。
【００２０】
本考案の請求項７は請求項５において、前記ガイド溝の下方に穿設される前記ガイド凸エッジが引き上げられたホッチキス針を引っ掛るように構成されるとともに、前記針退きガイドエレメントのリニア移動に従って前記ホッチキス針を移動させる。
【００２１】
本考案の請求項８は請求項５において、前記針退きガイドベースと前記針退きガイドエレメントが前記ガイド面と同一の傾斜角度で平行して傾斜状に設置されている。
【００２２】
本考案の請求項９は請求項１において、前記リムーバーには、連桿セットをさらに含み、前記連桿セットは、前記針退きセットと前記針退き駆動セットとの間に設けられるとともに、駆動力の伝動方向を変更するのに供する。
【００２３】
本考案の請求項１０は請求項９において、前記連桿セットは、互いに枢接されている第１連桿と第２連桿とを具備し、前記第１連桿は前記ベース上に枢設されており、その一端に第１支え端が設けられるとともに前記針退き駆動セットにより駆動されることにより、前記第１連桿をその枢設軸を中心として回動させることができ、前記第２連桿はその一端が前記第１連桿の他端と枢接しており、その他端が前記針退きセットと枢接することにより、前記針退きセットを連動してリニア移動させる。
【００２４】
本考案の請求項１１は請求項９において、前記連桿セットは、第１連桿を具備し、前記第１連桿は前記ベース上に枢設されており、その一端に第１支え端が設けられており、前記針退き駆動セットは、下押圧部を具備し、前記下押圧部が前記ベース上においてリニア移動でき、前記下押圧部に押出部が設けられるとともに前記第１支え端を効果的に押し出すことができる。
【考案の効果】
【００２５】
上述したように、本考案のホッチキス針安全回収可能なリムーバーは、ベースを含み、前記ベースの一側下方に互いに連接されている針嵌着部とガイド面とを具備する針抜きセットを設け、前記針嵌着部を紙を綴じているホッチキス針に嵌入するとともに、前記ガイド面によってホッチキス針を引き抜き、前記針抜きセットの上方に針退きセットを設け、そのリニア移動方式で引き抜いた状態のホッチキス針を移動して回収し、前記針退きセットと針退き駆動セットとを連結することにより、ホッチキス針を移動させる動力源を提供する構成とするものであるため、前記針退き駆動セットによって、前記針退きセットをリニア移動させるとともに、引き上げられたホッチキス針を引き抜いて収納スペース内に移動させることができ、故に引き抜いたホッチキス針を回収して保存することができ、操作が極めて省力的且つ簡便で、極めて優れた安全性と実用性を備えるものである。
【図面の簡単な説明】
【００２６】
【図１】本考案に係るホッチキス針安全回収可能なリムーバーの好適な実施例の斜視図である。
【図２】本考案に係るホッチキス針安全回収可能なリムーバーの好適な実施例の分解斜視図である。
【図３】本考案に係るホッチキス針安全回収可能なリムーバーの好適な実施例の一部分解斜視図である。
【図４】本考案に係るホッチキス針安全回収可能なリムーバーの好適な実施例の組合せの縦断面図である。
【図５】本考案に係るホッチキス針安全回収可能なリムーバーの好適な実施例のガイド溝とガイド凸エッジの縦断面図である。
【図６】本考案に係るホッチキス針安全回収可能なリムーバーの好適な実施例の使用状態の概略説明図（その１）である。
【図７】本考案に係るホッチキス針安全回収可能なリムーバーの好適な実施例の使用状態の概略説明図（その２）である。
【図８】本考案に係るホッチキス針安全回収可能なリムーバーの好適な実施例の使用状態の概略説明図（その３）である。
【図９】本考案に係るホッチキス針安全回収可能なリムーバーの好適な実施例の使用状態の概略説明図（その４）である。
【図１０】本考案に係るホッチキス針安全回収可能なリムーバーの好適な実施例の使用状態の概略説明図（その５）である。
【考案を実施するための形態】
【００２７】
以下、本考案の実施の形態を図面に基づいて詳細に説明する。
【００２８】
まず、図１乃至図５を参照されたい。本考案のホッチキス針安全回収可能なリムーバーは主に、リムーバーケーケース（１０）と、リムーバーケース（１０）内に設けられるベース（２０）と、ベース（２０）上に配設される針抜きセット（３０）と、針退きセット（４０）と、針退き駆動セット（５０）と、連桿セット（６０）とを含む。
【００２９】
前記リムーバーケース（１０）は、互いに連接している上側ケース（１１）と下側ケース（１２）とを具備し、前記上側ケース（１１）と前記下側ケース（１２）の間には、収納スペース（１３）を形成する。
【００３０】
前記ベース（２０）は、所定形状を呈する取付座体である。
【００３１】
前記針抜きセット（３０）は、前記下側ケース（１２）の前方に固設されるとともに、互いに連接されている針嵌着部（３１）とガイド面（３２）とを具備する。前記針嵌着部（３１）は前記リムーバーケース（１０）から露出されており、紙を綴じているホッチキス針を嵌着することができる。前記ガイド面（３２）は所定傾斜角度を有する傾斜面であり、楔作動原理でホッチキス針を漸次的に引き上げる押し上げ面を提供する。
【００３２】
前記針退きセット（４０）は、前記針抜きセット（３０）の上側に設けられており、リニア移動方式で引き上げられたホッチキス針を引っ掛って引き抜くとともに、前記収納スペース内に移動して回収する。前記針退きセット（４０）は、針退きガイドベース（４１）と、針退きガイドエレメント（４２）とを具備する。前記針退きガイドベース（４１）は前記ガイド面（３２）の上方に設けられるとともに、所定長さを有し、互いに平行して併設される二つのガイド溝（４１１、４１１）を具備する。前記針退きガイドエレメント（４２）は前記針退きガイドベース（４１）の上方に設けられるとともに、前記ガイド溝（４１１、４１１）に対応して嵌設される二つのガイド凸エッジ（４２１、４２１）を具備する。これにより、前記針退きガイドエレメント（４２、４２）は前記ガイド溝（４１１、４１１）内に限定されてリニア移動できる。
【００３３】
前記針退きガイドベース（４１）には、第１引っ掛り部（４１２）が上向きに予め凸設されており、前記針退きガイエレメント（４２）には、第２引っ掛り部（４２２）が上向きに予め凸設されている。前記針退きセット（４０）には、弾性エレメント（又はバネ）（４３）を付設し、前記弾性エレメント（４３）は、両端がそれぞれ前記第１引っ掛り部（４１２）と前記第２引っ掛り部（４２２）を引っ掛る。これにより、前記針退きガイドエレメント（４２）が変位した後に、元の位置へ自動的に復帰できる復元弾性力を提供することができる。前記針退きガイドベース（４１）と前記針退きガイドエレメント（４２）は前記ガイド面（３２）と同一の傾斜角度で平行して傾斜状に設置されている。
【００３４】
前記針退き駆動セット（５０）は、前記針退きセット（４０）と連結するとともに、前記針退きセット（４０）がホッチキス針を移動させる動力源を提供する。前記針退き駆動セット（５０）は位置決め座（５１）と、下押圧部（５２）と、弾性部（５３）とを具備する。前記位置決め座（５１）は前記ベース（２０）の一側凸縁に設けられている。前記下押圧部（５２）は前記位置決め座（５１）の外側に套設されるとともに、その上にリニア移動できる。前記弾性部（５３）は前記位置決め座（５１）と前記下押圧部（５２）との間に設けられている。前記下押圧部（５２）上には、凸縁状の押出部（５４）が設けられている。
【００３５】
前記連桿セット（６０）は、前記針退きセット（４０）と前記針退き駆動セット（５０）との間に設けられるとともに、駆動力の伝動方向を変更するのに供する。前記連桿セット（６０）は、互いに枢接されている第１連桿（６１）と第２連桿（６２）とを具備する。前記第１連桿（６１）は前記ベース（２０）上に枢設されており、その一端に第１支え端（６１１）が設けられている。前記第１支え端（６１１）は、前記凸縁状の押出部（５４）の下方に設けられている。前記下押圧部（５２）が下向きに変位するときに、前記第１支え端（６１１）が前記下押圧部（５２）によって駆動されるとともに、前記第１連桿（６１）をその枢設軸を中心として回動させることができる。前記第２連桿（６２）はその一端が前記第１連桿（６１）の他端と枢接しており、その他端が前記針退きセット（４０）と枢接している。前記第１連桿（６１）が作動するときに、前記第２連桿（６２）を連動して回動させることができる。これにより、前記第２連桿（６２）の他端が前記針退きセット（４０）を連動してリニア移動させることができる。
【００３６】
上記したベース（２０）、針退きセット（４０）、針退き駆動セット（５０）、及び連桿セット（６０）は、すべてが前記収納スペース（１３）内に設けられている。針退き駆動セット（５０）が連桿セット（６０）を連動し、連桿セット（６０）が針退きセット（４０）を帯動してリニア移動させることにより、前記ガイド溝（４１１）の下方に穿設される前記ガイド凸エッジ（４２１）が引き上げられたホッチキス針を引っ掛ることができ、前記針退きガイドエレメント（４２）のリニア移動に従って前記ホッチキス針を移動させることができる。そして、引き上げられた前記ホッチキス針を引き抜くとともに前記収納スペース（１３）内に移動させることができる。したがって、ホッチキス針を安全に除去するとともに、収納するという機能を実現することができる。
【００３７】
本考案の構造特徴、運用できる技術手段及び達成できる効果をより一層理解されるために、以下、本考案の使用方式についてさらなる説明を加える。
【００３８】
本考案の組み立てに関しては、まず下側ケース（１２）の前方に針抜きセット（３０）を固設し、下側ケース（１２）内にベース（２０）を収容して設ける。次にベース（２０）の前方に隣接される針抜きセット（３０）の上方に針退きガイドベース（４１）を設け、針退きガイドベース（４１）の上方に針退きガイドエレメント（４２）を設ける。このとき、ガイド溝（４１１）内にガイド凸エッジ（４２１）を嵌設し、弾性エレメント（４３）の両端を第１引っ掛り部（４１２）と第２引っ掛り部（４２２）とにそれぞれ引っ掛る。その後、位置決め座（５１）上に弾性部（５３）と下押圧部（５２）を順次套設する。ベース（２０）上に連桿セット（６０）の第１連桿（６１）を枢設するとともに、その一端である第１支え端（６１１）を凸縁状の押出部（５４）の下方に当接させ、その他端を第２連桿（６２）の一端と枢設し、第２連桿（６２）の他端を針退きガイドエレメント（４２）の一端と枢設する。最後に、上側ケース（１１）と下側ケース（１２）を係合し、組み立てを完成する。
【００３９】
図６と図７は、本考案のホッチキス針安全回収可能なリムーバーの使用状態を示すものである。図６に示すように、まず紙を綴じているホッチキス針（８０）の中央に針嵌着部（３１）を嵌入してから、リムーバー全体を前方へ移動する。このとき、ホッチキス針（８０）がガイド面（３２）に当接し、その移動によって、ガイド面（３２）と針退きガイドベース（４１）との間の傾斜面に沿って漸次的に引き上げられるようになる。前記ホッチキス針（８０）がガイド凸エッジ（４２１）の後方を越えるように引き上げられると、即ちガイド面（３２）、針退きガイドベース（４１）及びガイド凸エッジ（４２１）の下方の間に掛止されるようになる。
【００４０】
図８と図９を参照されたい。上側ケース（１１）の後部を手で下押圧することにより、下押圧部（５２）を帯動して下向きに変位させる。このとき、押出部（５４）が下向きに移動するとともに、第１支え端（６１１）を下向きに伝動する。故に第１連桿（６１）が回動し、さらに第２連桿（６２）を帯動して回転させる。同時に針退きガイドエレメント（４２）が上斜め向きにリニア移動するとともに、ガイド凸エッジ（４２１）の後方におけるホッチキス針（８０）が後方へリニア移動し、収納スペース内に落下するに至る。そして、ホッチキス針を安全に除去して回収する動作を完成する。
【００４１】
図１０を参照されたい。手の下押圧を解除すると、弾性部（５３）がその弾性力で下押圧部（５２）をリバウンドし、しかも第１支え端（６１１）も同時に上向きに復帰するようになる。そして、第１連桿（６１）が元の位置へ逆の方向に回転する。このとき、弾性エレメント（４３）がその弾性力で針退きガイドエレメント（４２）を前方へ変位させるとともに、第２連桿（６２）を帯動して元の自然状態に回復させる。
【００４２】
本考案は、針抜きセット（３０）とリニア移動できる針退きセット（４０）を組み合わせる構造設計を採用するものであり、針抜きセット（３０）がホッチキス針（８０）に嵌入した後に、針退き駆動セット（５０）が下押圧を施す方式で駆動を発生するとともに、連桿セット（６０）を帯動して所定の回動を発生し、同時に針退きセット（４０）を伝動してリニア移動させることにより、ホッチキス針（８０）を収納スペース（１３）内に引っ張って移動させるようになっている。本考案は手動操作、即ち、「前へ移動」、「下へ押圧」する連続的かつ簡単な二つの動作によって、ホッチキス針（８０）を本考案のリムーバー内部の収納スペース（１３）内に回収することができるので、ホッチキス針を有効に収納し回収するとともに、ホッチキス針が四方に飛び散ることを回避し、環境の安全性を増進することができる。同時に、本考案は、前述した「前へ移動」、「下へ押圧」する連続的かつ簡単な二つの動作が片手で完成できるが、特に様々な人の手が自然な動きや状態で使えるという汎用性、及び操作性を人間工学の考えに基づいて考慮して設計されたものである。その他、本考案は、構造が簡単で、使用済みホッチキス針や廃針を容易に収納することができるので、便利性及び実用性を十分具備する。
【００４３】
本考案は、針退き駆動セット（５０）と針退きセット（４０）との間に連桿セット（６０）を設け、第１連桿（６１）の他端に第２連桿（６２）を枢設し、第２連桿（６２）を所定回転範囲内に回転し、てこの原理によって、針退き駆動セットが下押圧される動作を、針退きセット（４０）が斜めむきにリニア移動されるのに変換させるようなっている。人の手操作に関して言えば、そのほどんとが下押圧方式で力を容易に加えることができるので、本考案の連桿セット（６０）の設計によって、力の伝動方向を変換させる以外、比較的小さい圧力で針退きセット（４０）を作動させることができ、さらに抜きと針回収を同時に実現することができ、人の手操作に極めて適する。
【００４４】
以上を総合すると、本考案に係る「ホッチキス針安全回収可能なリムーバー」は、片手の操作で、「前へ移動」、「下へ押圧」する連続的かつ簡単な二つの動作によって、紙を綴じている状態のホッチキス針を先に引き抜き、後で引っ張って移動回収することができる。したがって、除針及びその回収を安全且つ迅速に実現することができる。また、人の手操作をより便利に行うために、ヒューマニズムに満ちた設計を採用することにより、省力を実現でき、しかも安定した結合性、高い利便性及び実用性を備えるリムーバーを得ることができる。さらに産業上利用性及び経済性を十分具備する。
【００４５】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００４６】
１０      リムーバーケース
１１      上側ケース
１２      下側ケース
１３      収納スペース
２０      ベース
３０      針抜きセット
３１      針嵌着部
３２      ガイド面
４０      針退きセット
４１      針退きガイドベース
４１１    ガイド溝
４１２    第１引っ掛り部
４２      針退きガイドエレメント
４２１    ガイド凸エッジ
４２２    第２引っ掛り部
４３      弾性エレメント
５０      針退き駆動セット
５１      位置決め座
５２      下押圧部
５３      弾性部
５４      押出部
６０      連桿セット
６１      第１連桿
６１１    第１支え端
６２      第２連桿
８０      ホッチキス針
【図１】
0003157634.tif 000003
【図２】
0003157634.tif 000004
【図３】
0003157634.tif 000005
【図４】
0003157634.tif 000006
【図５】
0003157634.tif 000007
【図６】
0003157634.tif 000008
【図７】
0003157634.tif 000009
【図８】
0003157634.tif 000010
【図９】
0003157634.tif 000011
【図１０】
0003157634.tif 000012